(57)【要約】      （修正有）【課題】形状やサイズが異なる多くの試料担持体に適したホールダを提供する。【解決手段】顕微鏡内に配置するために構成され、ホールダ１００は、保持すべき試料担持体を受容するための保持面１１０と、可動に支持される少なくとも３つのストッパー要素１２０とを有している。ストッパー要素１２０のそれぞれが少なくとも１つの係止面１２１を有し、係止面は、保持すべき試料担持体に対しストッパー要素１２０を移動させることによって位置調整される。少なくとも３つの固定要素１２５が設けられ、少なくとも３つのストッパー要素１２０の１つの固定要素１２５が付設されている。少なくとも３つの固定要素１２５は、付設のストッパー要素１２０をホールダに不動に固定できるように、且つ付設のストッパー要素１２０が可動である第１の位置と、付設のストッパー要素がホールダに不動に固定される第２の位置とへもたらすことができるように、構成されている。【選択図】図１
0003183891.tif 000002
【実用新案登録請求の範囲】
【請求項１】
顕微鏡内に配置するために構成された、形状およびサイズの異なる試料担持体（Ｐ１−Ｐ４）のためのホールダ（１００）において、
保持すべき前記試料担持体を受容するための保持面（１１０）と、
それぞれ可動に支持される少なくとも３つのストッパー要素（１２０）と、
を有し、
前記ストッパー要素（１２０）のそれぞれが少なくとも１つの係止面（１２１）を有し、該係止面が、保持すべき前記試料担持体（Ｐ１−Ｐ４）に対し前記ストッパー要素（１２０）を移動させることによって位置調整されるように構成され、
少なくとも３つの固定要素（１２５）が設けられ、前記少なくとも３つのストッパー要素（１２０）のそれぞれに１つの固定要素（１２５）が付設され、
前記少なくとも３つの固定要素（１２５）のそれぞれは、付設の前記ストッパー要素（１２０）を前記ホールダに不動に固定できるように、且つ付設の前記ストッパー要素（１２０）が可動である第１の位置と、付設の前記ストッパー要素が前記ホールダに不動に固定される第２の位置とへもたらすことができるように、構成されている、
前記ホールダ（１００）。
【請求項２】
それぞれ可動に支持される前記少なくとも３つのストッパー要素（１２０）のうちの少なくとも１つがストッパー要素回転軸（Ａ）のまわりに回転可能に支持されている、請求項１に記載のホールダ（１００）。
【請求項３】
前記少なくとも３つの固定要素（１２５）のうちの少なくとも１つが付設のストッパー要素（１２０）のための前記ストッパー要素回転軸（Ａ）を形成している、請求項２に記載のホールダ（１００）。
【請求項４】
前記ストッパー要素回転軸（Ａ）のうちの少なくとも１つが前記保持面（１１０）上に垂直に位置している、請求項１または２に記載のホールダ（１００）。
【請求項５】
それぞれ可動に支持される前記少なくとも３つのストッパー要素（１２０）のうちの少なくとも１つが変位可能に支持されている、請求項１から４までのいずれか一つに記載のホールダ（１００）。
【請求項６】
前記少なくとも３つの固定要素（１２５）のうちの少なくとも１つがねじ結合部により前記ホールダ（１００）と結合されている、請求項１から５までのいずれか一つに記載のホールダ（１００）。
【請求項７】
前記少なくとも３つのストッパー要素（１２０）は、複数個の前記変位可能なストッパー要素に対応する四角形のコーナーを形成するように、配置されている、請求項１から６までのいずれか一つに記載のホールダ（１００）。
【請求項８】
前記ストッパー要素（１２０）が３個設けられ、これらのストッパー要素は、三角形の、好ましくは二等辺三角形または正三角形のコーナーを形成するように、配置されている、請求項１から７までのいずれか一つに記載のホールダ（１００）。
【請求項９】
前記ストッパー要素（１２０）が４個設けられ、これらのストッパー要素は、長方形のコーナーを形成するように、配置されている、請求項１から８までのいずれか一つに記載のホールダ（１００）。
【請求項１０】
前記保持面（１１０）に対し垂直に力を作用させる少なくとも１つの弾性要素（１３０）が設けられている、請求項１から９までのいずれか一つに記載のホールダ（１００）。
【請求項１１】
前記少なくとも１つの弾性要素（１３０）が弾性要素回転軸（Ｂ）のまわりに回転可能に支持されている、請求項１０に記載のホールダ（１００）。
【請求項１２】
前記弾性要素回転軸（Ｂ）と前記ストッパー要素回転軸（Ａ）とが互いに平行に延びている、請求項１１に記載のホールダ（１００）。
【請求項１３】
前記保持面を決定している繰り抜き部（１１０）が設けられ、該繰り抜き部に、保持すべき前記試料担持体が挿入される、請求項１から１２までのいずれか一つに記載のホールダ（１００）。
【請求項１４】
間隔要素（２００，３００）を受容するために形成された少なくとも１つの間隔要素繰り抜き部（１１２，１１３）が設けられている、請求項１から１３までのいずれか一つに記載のホールダ（１００）。
【請求項１５】
請求項１３に記載の構成と請求項１４に記載の構成とを組み合わせたホールダ（１００）において、前記少なくとも１つの間隔要素繰り抜き部（１１２，１１３）が前記保持面を決定している前記繰り抜き部（１１０）内に配置されて該繰り抜き部から区別されているホールダ（１００）。
【請求項１６】
さらに、前記保持面（１１０）に配置される、破壊せずに除去可能な少なくとも１つの間隔要素（２００，３００）が設けられている、請求項１から１５までのいずれか一つに記載のホールダ（１００）。
【請求項１７】
前記少なくとも３つのストッパー要素（１２０）の重心の周囲に、前記保持面（１１０）を貫通する開口部（１１１）が設けられている、請求項１から１６までのいずれか一つに記載のホールダ（１００）。
【請求項１８】
前記保持面（１１０）へアクセスするための側部アクセス部（１１４）が設けられている、請求項１から１７までのいずれか一つに記載のホールダ（１００）。
【請求項１９】
ｘ方向、ｙ方向に特に電動で位置調整可能であり、請求項１から１８までのいずれか一つに記載のホールダ（１００）を備えた顕微鏡テーブル。
【請求項２０】
前記ホールダ（１００）の外側形状に対応する繰り抜き部が設けられ、該繰り抜き部に前記ホールダ（１００）を挿入可能であり、且つ該繰り抜き部から前記ホールダ（１００）を取り出し可能である、請求項１９に記載の顕微鏡テーブル。
【考案の詳細な説明】
【技術分野】
【０００１】
本考案は、形状およびサイズが異なる試料担持体のためのホールダに関するものである。
【背景技術】
【０００２】
たとえば滴定用マイクロプレート、ペトリ皿または顕微鏡対象物担持体（通常はガラス板）のような形状およびサイズが異なる試料担持体によって担持される試料を観察するために顕微鏡が使用されることが多い。試料担持体用のホールダは、顕微鏡テーブル上での試料担持体の一定の位置を保証するために、たとえばいわゆるスキャンテーブルにおいて使用される。使用する試料担持体が非常に異なっていれば、ホールダを交換しなければならないが、顕微鏡の面倒な改造作業を行うことになり、これは回避すべきである。
【０００３】
サイズが異なるペトリ皿用の対象物担持体ホールダと、一定サイズの長方形の対象物担持体とは、特許文献１から知られている。しかしながら、他の形状の試料担持体に対しては適していない。
【０００４】
ホールダを交換せずに試料担持体の交換を行うことができるようにするには、形状および／またはサイズが異なるできるだけ多くの試料担持体に適したホールダを提供することが望ましい。
【先行技術文献】
【特許文献】
【０００５】
【特許文献１】特開平１１−２０２２１３号公報
【考案の概要】
【考案が解決しようとする課題】
【０００６】
本考案の課題は、形状および／またはサイズが異なるできるだけ多くの試料担持体に適したホールダを提供することである。
【課題を解決するための手段】
【０００７】
本考案は、上記課題を解決するため、請求項１の構成を備えた、形状およびサイズが異なる試料担持体のためのホールダを提案する。有利な構成は従属項および後述する説明の対象である。
【０００８】
本考案は、形状およびサイズが異なる試料担持体を保持することのできる、顕微鏡の試料担持体用ホールダに関わる。異なる対象物および試料担持体の交換が容易になる。サイズ、外側エッジ、形状が異なる対象物または試料担持体とは、たとえばスライドまたは滴定用マイクロプレート、丸いペトリ皿、丸い試料ホールダ（たとえば丸い容器）、或いは、任意に多角形の試料または試料ホールダである。ホールダの交換は必要ないので、改造作業は避けられる。このためホールダは、その都度保持される試料担持体のための係止面を決定する少なくとも３つの可動なストッパー要素を有している。これらストッパー要素を適当に移動または位置調整することにより、該ストッパー要素によって画成される領域を、対象物または試料担持体のサイズおよび輪郭または形状に適合させることができる。従って、可動なストッパー要素を適当に移動させることにより、それぞれの試料担持体に対する確実な保持が提供される。少なくとも３つの可動なストッパー要素により、ホールダに対する試料担持体の一定の配置が可能になり、よって顕微鏡の光軸に対する一定の配置が可能になる。１つのストッパー要素は好ましくは回転可能または変位可能に支持され、これによって可動であってよい。
【０００９】
本考案が格別な効果を発揮するのは、特に、高解像度顕微鏡との組み合わせであり、とりわけたとえば像形成中の観察試料のドリフトが問題になる共焦点顕微鏡のように走査技術／スキャン技術でもって作動する高解像度顕微鏡との組み合わせであり、および／または、たとえば電動式スキャンテーブルのような位置調整可能なｘ／ｙテーブルとの組み合わせであり、テーブル上での試料の一定の位置を保証する。
【００１０】
ホールダは少なくとも３つのストパー要素のそれぞれのために固定要素を有している。固定要素は異なる位置へもたらし可能であり、付設のストッパー要素をホールダに不動に固定できるように構成されている。より正確には、固定要素は、付設のストッパー要素が可動である第１の位置と、付設のストッパー要素がホールダに不動に固定される第２の位置とへもたらすことができる。ストッパー要素は固定前に任意の位置および方向にもたらすことができる。不動とは、ストッパー要素が標準作動（たとえば顕微鏡テーブルのｘ／ｙ調整、しかしストッパー要素の手動による接触／回転も含む）時に発生する荷重に打ち勝って移動しないということである。このため、固定要素は好ましくはねじ結合部によりホールダと結合され、ねじ結合部は、固定要素に付設のストッパー要素を移動させるために緩めることができるとともに、固定要素に付設のストッパー要素を固定するために締めることができる。保持される試料担持体に対し得られた正確な配向を簡単に継続的に安定化させることができる。
【００１１】
好ましくは、固定要素は、特にねじまたはスタッドボルトは、同時に、回転可能に支持されるストッパー要素のための回転軸をも形成しており、または、変位可能に支持されるストッパー要素のためのガイドをも形成している。
【００１２】
好ましくは、少なくとも３つのストッパー要素は、複数個の可動なストッパー要素に対応する四角形のコーナーを形成するように、配置されている。１つの有利な実施態様によれば、３つの可動なストッパー要素が設けられ、これら３つの可動なストッパー要素は三角形のコーナーを、好ましくは二等辺三角形または正三角形のコーナーを形成する。同様、長方形のコーナーを形成する４つの可動なストッパー要素を設けるのも有利である。これにより、長方形の重心に対する試料担持体の簡単な配向を行うことができる。長方形の領域には、好ましくは観察光路が延在している。
【００１３】
保持された試料担持体をｚ方向に位置決めするため、すなわち載置面（ｘ／ｙ面）に対し垂直に位置決めするため、たとえば板体またはリングのような間隔要素を、保持される試料担持体の下方に装着してよい。ホールダは好ましくは少なくとも１つの繰り抜き部を有し、該繰り抜き部に間隔要素を挿入することができ、その結果ホールダに対する間隔要素の位置決めが一義的に設定される。
【００１４】
付加的な弾性要素はｚ方向での保持をも保証し、このためたとえば保持された試料担持体を弾性要素を用いてｚ方向においてホール他に対し押圧させる。
【００１５】
本考案の他の利点および構成は以下の説明および添付の図面から明らかである。
【００１６】
なお、以下でさらに説明する上述した構成はその都度記載した組み合わせで使用できるばかりでなく、本考案の範囲を逸脱しなければ、他の組み合わせでも、また単独でも使用できる。
【図面の簡単な説明】
【００１７】
本考案は１実施形態に関して図面に図示されており、以下でこれら図面を参照して詳細に説明する。
【図１】本考案による試料担持体ホールダの有利な実施形態の斜視図である。
【図２】図１のホールダに挿入できる円環状の間隔要素を示す図である。
【図３】図１のホールダに挿入できる十字状の間隔要素を示す図である。
【図４】４つの異なる試料担持体を保持している図１のホールダの平面図である。
【図５】本考案による試料担持体ホールダの有利な第２実施形態の平面図である。
【考案を実施するための形態】
【００１８】
図１には、本考案による試料担持体用ホールダ１００の１つの有利な実施形態が斜視図で図示されている。ホールダは、ここでは、顕微鏡テーブル用に構成されており、すなわち顕微鏡テーブルに、特にスキャンテーブルに適当に成形した繰り抜き部に挿入される挿入物として構成され、或いは、顕微鏡テーブル上に載置される載置物として構成されている。ホールダ１００は、たとえば共焦点顕微鏡のような高解像度顕微鏡の顕微鏡テーブルに特に適している。共焦点顕微鏡では、試料担持体を時間に関して可能な限り固定して（ドリフトなしに）配向することが望ましく、従って試料を顕微鏡テーブルに対し時間に関して可能な限り固定配向することが望ましい。
【００１９】
ホールダ１００は繰り抜き部１１０を有し、該繰り抜き部には形状およびサイズが異なる試料担持体を挿着することができる。繰り抜き部１１０は保持すべき試料担持体を受容するための保持面を決定している。繰り抜き部１１０は中央の開口部１１１を有し、該開口部は透明な試料担持体内または透明な試料担持体上での透明な試料の透過照明を可能にする。開口部１１１はストッパー要素１２０の重心のまわりに形成されている。
【００２０】
本実施形態では、ホールダ１００はそれぞれ回転軸Ａ（ここでは保持面に対し垂直）のまわりに回転可能に支持されている４つのストッパー要素１２０を有している。図示した有利な実施形態では、これら４つのストッパー要素１２０の回転軸Ａは１つの長方形の４つのコーナーを形成している。
【００２１】
図示した実施形態では、各ストッパー要素の回転軸Ａは、ここではスタッドボルトとして構成された固定要素によって決定されている。この固定要素は、同時に、ストッパー要素をホールダで回転可能に支持するため、および、相対回転不能に支持するためにも用いる。スタッドボルト１２５を緩めることによって付設のストッパー要素を使用でき、繰り抜き部１１０内に受容されている試料担持体に対してストッパー要素を位置調整することができる。次に、スタッドボルト１２５を締めれば、付設のストッパー要素をホールダに実質的に相対回転不能に固定することができる。
【００２２】
それぞれのストッパー要素１２０は、本実施形態では複数の平坦な係止面１２１を有しており、これら係止面は本実施形態では多面体を形成している。係止面として筒体側面が設けられていてもよい。
【００２３】
ホールダ１００は、さらに、本実施形態では板ばね１３０として形成された４つの弾性要素を有しており、これら弾性要素は、繰り抜き部１１０内に受容されている試料担持体および／または間隔要素（図２、図３を参照）をｚ方向においてホールダ１００に対し押圧させて固定させる。板ばね１３０も同様に回転軸Ｂのまわりに回転可能にホールダ１００で支持され、この場合各回転軸Ｂはねじによって決定されている。本実施形態では、回転軸ＡとＢはすべて互いに平行に延在している。
【００２４】
繰り抜き部１１０内には、該繰り抜き部１１０内部の段部によって境界づけられている２つの間隔要素繰り抜き部１１２，１１３が形成されている。１つの段部は１つの円環状の間隔要素繰り抜き部１１３を境界づけており、該間隔要素繰り抜き部は円環状の間隔要素２００（図２を参照）を受容するために形成され、設けられている。他の段部は十字状の間隔要素繰り抜き部１１２を境界づけており、該間隔要素繰り抜き部は十字状の間隔要素３００（図３を参照）を受容するために形成され、設けられている。これら間隔要素は、高さが異なる試料担持体を同じように配向することができるようにするために用いる。
【００２５】
ホールダ１００は側部にアクセス部１１４を有し、該アクセス部は本実施形態では貫通ダクト１１４として形成されている。このアクセス部を介してたとえば引き込み線（センサ用、エネルギー供給用など）を、保持されている試料担持体へ案内することができる。
【００２６】
図４には、形状およびサイズが異なる４つの試料担持体Ｐ１−Ｐ４をいかに保持するが平面図で図示されている。なえ、板ばねは図面を見やすくするために省略した。４つの係止要素１２０はそれぞれの試料担持体Ｐ１−Ｐ４に対して位置調整される。試料担持体Ｐ１とＰ２は円形であり（たとえばペトリ皿、円形のスライドガラス）、試料担持体Ｐｐ３とＰ４は長方形（たとえば滴定用マイクロプレート、長方形のスライドガラス）である。
【００２７】
図５には、本考案による試料担持体ホールダ４００の有利な第２実施形態が平面図で図示されている。ホールダ４００がホールダ１００と異なるのは可動なストッパー要素の態様である。他の構成要素に関しては図１に対する説明を参照してもらいたい。
【００２８】
この実施形態では、ホールダ４００はそれぞれ変位可能に支持されている３つのストッパー要素４２０を有している。各ストッパー要素４２０はねじとして形成された固定要素１２５によってホールダに不動に固定することができる。固定要素１２５は、同時に、変位可能に支持されているストッパー要素に設けた長穴とともにストッパー要素のガイドをも形成している。他のガイドとして、ホールダ内には各ストッパー要素に対し繰り抜き部４１５が設けられている。
【００２９】
図示した有利な実施形態では３つのストッパー要素４２０が設けられ、その固定要素は１２５は二等辺三角形の３つのコーナーを形成している。
【符号の説明】
【００３０】
１００          ホールダ
１１０          繰り抜き部
１１１          開口部
１１２          十字状の間隔要素繰り抜き部
１１３          円形の間隔要素繰り抜き部
１１４          アクセス部
１２０          可動な（回転可能な）ストッパー要素
１２１          係止面
１２５          スタッドボルト
１３０          板ばね
２００          円環状の間隔要素
３００          十字状の間隔要素
４００          ホールダ
４１５          案内用繰り抜き部
４２０          可動な（回転可能な）ストッパー要素
Ａ              ストッパー要素の回転軸
Ｂ              板ばねの回転軸
Ｐ１−Ｐ４      試料担持体
【図１】
0003183891.tif 000003
【図２】
0003183891.tif 000004
【図３】
0003183891.tif 000005
【図４】
0003183891.tif 000006
【図５】
0003183891.tif 000007